(57)【要約】【課題】  干渉の増加やデータ量の減少を抑制しながら、受信誤りを削減することが可能な装置、及び、この装置に適用されるプログラムを提供する。【解決手段】  受信信号点に最も近い基準信号点を第１候補点として特定する候補点特定部３４と、受信信号点に対応する第１候補信号点が誤っている可能性があるか否かを判定する受信誤り推定部３３と、受信誤り推定部３３によって誤っている可能性があると判定された第１候補点に対応する受信信号点について、第１候補点以外の基準信号点を第２候補点として記憶する第２候補ＤＢ３５と、第１候補点に対応する値を用いて取得される復調信号が誤っているか否かを、検出する誤り検出部３７と、誤り検出部３７によって復調信号が誤っていることが検出された場合に、第１候補点に対応する値を第２候補点に対応する値に変更するビット値変更部３８とを基地局２０が備える。【選択図】  図２
2006262284.tif 000002
【特許請求の範囲】
【請求項１】
無線区間を介して受信した信号を復調して復調信号を取得する装置であって、
複数の基準信号点を有するＩＱ平面上において、受信した前記信号の位置である受信信号点をシンボル毎に特定する受信信号点特定部と、
前記受信信号点に最も近い前記基準信号点を第１候補点として特定する第１候補点特定部と、
前記受信信号点に対応する前記第１候補信号点が誤っている可能性があるか否かを判定する判定部と、
前記判定部によって誤る可能性があると判定された前記第１候補点に対応する前記受信信号点について、前記第１候補点以外の前記基準信号点を第２候補点として記憶する第２候補点記憶部と、
前記第１候補点に対応する値を用いて取得される前記復調信号が誤っているか否かを検出する誤り検出部と、
前記誤り検出部によって前記復調信号が誤っていることが検出された場合に、前記第１候補点に対応する値を前記第２候補点に対応する値に変更する候補点変更部とを備えることを特徴とする装置。
【請求項２】
前記第２候補点記憶部は、前記候補点変更部によって変更される優先順位と前記第２候補点とを対応付けて記憶することを特徴とする請求項１に記載の装置。
【請求項３】
前記判定部は、互いに隣り合う前記基準信号点との距離が等しい境界線と前記受信信号点との距離に基づいて、前記受信信号点に対応する前記第１候補信号点が誤っている可能性があるか否かを判定することを特徴とする請求項１又は請求項２に記載の装置。
【請求項４】
複数のアンテナの指向性を制御するための重付値を変更する重付値変更部を更に備え、
重付値変更部は、前記受信信号点に対応する前記第１候補信号点が誤っている可能性がないと前記判定部によって判定された場合にのみ、前記重付値を変更することを特徴とする請求項１乃至請求項３のいずれかに記載の装置。
【請求項５】
前記第２候補点記憶部は、前記受信信号点の振幅値が所定値よりも大きい場合にのみ、前記受信信号点に対応する前記第２候補点を記憶することを特徴とする請求項１乃至請求項４のいずれかに記載の装置。
【請求項６】
無線区間を介して受信した信号を復調して復調信号を取得する装置に適用されるプログラムであって、コンピュータに、
複数の基準信号点を有するＩＱ平面上において、受信した前記信号の位置である受信信号点をシンボル毎に特定する受信信号点特定手順と、
前記受信信号点に最も近い前記基準信号点を第１候補点として特定する第１候補点特定手順と、
前記受信信号点に対応する前記第１候補信号点が誤っている可能性があるか否かを判定する判定手順と、
前記判定手順で誤っている可能性があると判定された前記第１候補点に対応する前記受信信号点について、前記第１候補点以外の前記基準信号点を第２候補点として記憶する第２候補点記憶手順と、
前記第１候補点に対応する値を用いて取得される前記復調信号が誤っているか否かを検出する誤り検出手順と、
前記誤り検出部によって前記復調信号が誤っていることが検出された場合に、前記第１候補点に対応する値を前記第２候補点に対応する値に変更する候補点変更手順とを実行させることを特徴とするプログラム。
【発明の詳細な説明】
【技術分野】
【０００１】
本発明は、無線区間を介して受信した信号を復調して復調信号を取得する装置、及び、この装置に適用されるプログラムに関する。
【背景技術】
【０００２】
従来、基地局（Cell  Station；ＣＳ）と端末（Personal  Station；ＰＳ）との間で、所定の変調方式（例えば、ＱＰＳＫ）に従って変調された信号（変調信号）を送受信する無線通信システムが一般的に広く知られている。
【０００３】
また、基地局は、端末から受信する信号をシンボル毎に復調する。具体的には、基地局は、所定ビット（ＱＰＳＫでは、２ビット）が割り当てられた信号点（以下、基準信号点）を有するＩＱ平面上に端末から受信した信号（受信信号）をシンボル毎に配置し、ＩＱ平面上の距離（ユーグリッド距離）が受信信号の信号点に最も近い基準信号点を特定する。また、基地局は、特定した基準信号点に割り当てられたビット値を取得することによって、復調ビットを取得する（例えば、特許文献１）。
【特許文献１】特開2004-304437号公報（〔００３０〕段落、図８等）
【発明の開示】
【発明が解決しようとする課題】
【０００４】
ここで、無線通信システムでは、端末の移動や障害物等によってフェージングが発生し、受信した信号を正しく復調することができない場合（受信誤りが発生する場合）がある。
【０００５】
これに対して、一般的に、信号の送信電力を上げること、データビットに冗長ビットを付加することによって誤り訂正を行うことによって、受信誤りを削減可能であることが知られている。
【０００６】
しかしながら、信号の送信電力を上げると、他の端末から受信する信号に対する干渉が増えてしまい、誤り訂正を行うと、送受信可能なデータ量が減ってしまう。
【０００７】
そこで、本発明は、上述した課題を解決するためになされたものであり、干渉の増加やデータ量の減少を抑制しながら、受信誤りを削減することが可能な装置、及び、この装置に適用されるプログラムを提供することを目的とする。
【課題を解決するための手段】
【０００８】
無線区間を介して受信した信号を復調して復調信号を取得する装置（基地局２０）が、複数の基準信号点を有するＩＱ平面上において、受信した信号の位置である受信信号点をシンボル毎に特定する受信信号点特定部（検波処理部３２）と、受信信号点に最も近い基準信号点を第１候補点として特定する第１候補点特定部（候補点特定部３４）と、受信信号点に対応する第１候補信号点が誤っている可能性があるか否かを判定する判定部（受信誤り推定部３３）と、判定部によって誤っている可能性があると判定された第１候補点に対応する受信信号点について、第１候補点以外の基準信号点を第２候補点として記憶する第２候補点記憶部（第２候補ＤＢ３５）と、第１候補点に対応する値を用いて取得される復調信号が誤っているか否かを、検出する誤り検出部（誤り検出部３７）と、誤り検出部によって復調信号が誤っていることが検出された場合に、第１候補点に対応する値を第２候補点に対応する値に変更する候補点変更部（ビット値変更部３８）とを備えることを特徴とする。
【０００９】
かかる特徴によれば、候補点変更部が、誤り検出部によって復調信号が誤っていることが検出された場合に、第１候補点に対応する値を第２候補点に対応する値に変更することにより、装置は、干渉の増加やデータ量の減少を抑制しながら、受信誤りを削減することができる。
【００１０】
本発明の第１の特徴において、第２候補点記憶部は、候補点変更部によって変更される優先順位と第２候補点とを対応付けて記憶することが好ましい。
【００１１】
本発明の第１の特徴において、判定部は、互いに隣り合う基準信号点との距離が等しい境界線と受信信号点との距離に基づいて、受信信号点に対応する第１候補信号点が誤っている可能性があるか否かを判定することが好ましい。
【００１２】
本発明の第１の特徴において、複数のアンテナの指向性を制御するための重付値を変更する重付値変更部を更に備え、重付値変更部は、受信信号点に対応する第１候補信号点が誤っている可能性がないと判定部によって判定された場合にのみ、重付値を変更することが好ましい。
【００１３】
本発明の第１の特徴において、第２候補点記憶部は、受信信号点の振幅値が所定値よりも大きい場合にのみ、受信信号点に対応する第２候補点を記憶することが好ましい。
【００１４】
本発明の第２の特徴は、無線区間を介して受信した信号を復調して復調信号を取得する装置に適用されるプログラムが、複数の基準信号点を有するＩＱ平面上において、受信した信号の位置である受信信号点をシンボル毎に特定する受信信号点特定手順と、受信信号点に最も近い基準信号点を第１候補点として特定する第１候補点特定手順と、受信信号点に対応する第１候補信号点が誤っている可能性があるか否かを判定する判定手順と、判定手順で誤っている可能性があると判定された第１候補点に対応する受信信号点について、第１候補点以外の基準信号点を第２候補点として記憶する第２候補点記憶手順と、第１候補点に対応する値を用いて取得される復調信号が誤っているか否かを、検出する誤り検出手順と、誤り検出部によって復調信号が誤っていることが検出された場合に、第１候補点に対応する値を第２候補点に対応する値に変更する候補点変更手順とをコンピュータに実行させることを特徴とする。
【発明の効果】
【００１５】
本発明によれば、干渉の増加やデータ量の減少を抑制しながら、受信誤りを削減することが可能な装置、及び、この装置に適用されるプログラムを提供することができる。
【発明を実施するための最良の形態】
【００１６】
（本発明の一実施形態に係る無線通信システムの構成）
以下において、本発明の一実施形態に係る無線通信システムの構成について、図面を参照しながら説明する。図１は、本発明の一実施形態に係る無線通信システムの構成を示す図である。
【００１７】
図１に示すように、無線通信システムは、複数の端末１０（端末１０ａ及び端末１０ｂ）と、基地局２０とを有する。
【００１８】
端末１０ａ及び端末１０ｂは、データビットに誤り検出ビットを付加するとともに、所定の変調方式（例えば、π／４シフトＱＰＳＫ）に従って、誤り検出ビットが付加されたデータビットを変調することによって、変調信号を生成する。また、基地局２０は、障害物等の影響によって複数の経路（マルチパス）を経由する変調信号を端末１０ａ及び端末１０ｂから受信する。
【００１９】
例えば、基地局２０は、マルチパス（ｈ１１〜ｈ１４）を経由する変調信号を端末１０ａから受信し、マルチパス（ｈ２１〜ｈ２４）を経由する変調信号を端末１０ｂから受信する。
【００２０】
（本発明の一実施形態に係る基地局の構成）
以下において、本発明の一実施形態に係る基地局２０の構成について、図面を参照しながら説明する。図２は、本発明の一実施形態に係る基地局２０の構成を示す図である。なお、端末１０ａ及び端末１０ｂは同様の構成を有するため、以下においては、これらを総称して端末１０と称する。
【００２１】
図２に示すように、基地局２０は、アンテナ２１と、ＲＦ回路２２と、Ａ／Ｄ変換部２３と、サーキュレータ２４と、受信処理部２５と、送信処理部２６とを有する。
【００２２】
アンテナ２１は、マルチパスを経由する変調信号を端末１０から受信し、ＲＦ回路２２によって増幅された変調信号を端末１０に送信する。
【００２３】
ＲＦ回路２２は、アンテナ２１によって受信される変調信号、Ａ／Ｄ変換部２３によってアナログ信号に変換された変調信号を増幅する。なお、変調信号を増幅する度合いは、ＡＧＣ（Automatic  Gain  Control）回路等によって制御されてもよい。
【００２４】
Ａ／Ｄ変換部２３は、アンテナ２１によって受信される変調信号を標本化するとともに、標本化した信号を受信信号としてサーキュレータ２４に入力する。また、Ａ／Ｄ変換部２３は、サーキュレータ２４から取得する送信信号をアナログ信号に変換する。
【００２５】
サーキュレータ２４は、Ａ／Ｄ変換部２３から取得する受信信号を受信処理部２５に入力し、送信処理部２６によって生成された送信信号をＡ／Ｄ変換部２３に入力する。
【００２６】
受信処理部２５は、サーキュレータ２４から取得する受信信号に基づいて、端末１０から受信したデータビットを取得する。
【００２７】
具体的には、受信処理部２５は、同期処理部３１と、検波処理部３２と、受信誤り推定部３３と、候補点特定部３４と、第２候補ＤＢ３５と、復調処理部３６と、誤り検出部３７と、ビット値変更部３８とを有する。
【００２８】
同期処理部３１は、サーキュレータ２４から取得する受信信号の同期をとる。具体的には、同期処理部３１は、サーキュレータ２４から取得する受信信号に含まれる既知のパターン（プリアンブル）を用いて、マルチパスを経由する各受信信号の同期をとる。
【００２９】
検波処理部３２は、同期処理部３１によって同期が取られた受信信号について、検波処理を行う。具体的には、検波処理部３２は、所定のビット値が割り当てられた基準信号点を有するＩＱ平面上における受信信号の位置（受信信号点）をシンボル毎に特定するとともに、特定した受信信号点に最もユーグリッド距離が近い基準信号点を第１候補点として特定する。また、検波処理部３２は、特定した第１候補点（基準信号点）に割り当てられたビット値（第１候補ビット値）を取得する。なお、ＩＱ平面上の基準信号点の数や位置は、変調方式に応じて予め定められている。
【００３０】
受信誤り推定部３３は、検波処理部３２によって特定された受信信号が受信誤りとなる可能性があるか否か（すなわち、受信信号点に最もユーグリッド距離が近い基準信号点である第１候補点が誤っている可能性があるか否か）を推定（判定）する。
【００３１】
具体的には、受信誤り推定部３３は、ＩＱ平面上において互いに隣り合う基準信号点からの距離が等しい境界線と受信信号点との距離に基づいて、第１候補点が誤っている可能性があるか否かを推定する。ここで、受信誤り推定部３３は、境界線と受信信号点との距離が短ければ短いほど、第１候補点が誤っている可能性が高いと推定する（図３を参照）。
【００３２】
以下において、本発明の一実施形態に係るＩＱ平面について、図面を参照しながら説明する。図３は、本発明の一実施形態に係るＩＱ平面を示す図である。なお、図３（１）は、シンボル番号が偶数である場合におけるＩＱ平面を示す図であり、図３（２）は、シンボル番号が奇数である場合におけるＩＱ平面を示す図である。
【００３３】
図３（１）に示すように、シンボル番号が偶数である場合におけるＩＱ平面は、基準信号点Ａ〜基準信号点Ｄを有する。また、各基準信号点には、所定のビット値が対応付けられている。例えば、基準信号点“Ａ”、“Ｂ”、“Ｃ”及び“Ｄ”には、ビット値“００”、“０１”、“１１”及び“１０”がそれぞれ対応付けられている。
【００３４】
ここで、受信誤り推定部３３は、受信信号点Ｘと境界線Ｅ（又は、境界線Ｆ）との距離が距離ａ以下である場合に、受信信号が受信誤りとなる可能性がある（第１候補点が誤っている可能性がある）と推定する。すなわち、受信信号点ＸのＩＱ値が、｜Ｉ値｜−｜Ｑ値｜＜ａの式を満たす場合に、第１候補点が誤っている可能性があると推定する。
【００３５】
なお、距離ａは、原点Ｏと各基準信号点との距離を「１」とした場合に、正の微小値（例えば、０．１）であることが好ましい。
【００３６】
一方、図３（２）に示すように、シンボル番号が奇数である場合におけるＩＱ平面は、基準信号点Ａ’〜基準信号点Ｄ’を有する。なお、各基準信号点には、基準信号点Ａ〜基準信号点Ｄと同様に、所定のビット値が対応付けられている。
【００３７】
また、受信誤り推定部３３は、受信信号点Ｘと境界線Ｅ’（又は、境界線Ｆ’）との距離が距離ａ以下である場合に、受信信号が受信誤りである可能性がある（第１候補点が誤っている可能性がある）と推定する。すなわち、受信信号点ＸのＩＱ値が、｜Ｉ値｜＜ａ  又は、｜Ｑ値｜＜ａの式を満たす場合に、第１候補点が誤っている可能性があると推定する。
【００３８】
候補点特定部３４は、受信誤り推定部３３によって第１候補点が誤っている可能性があると推定されたシンボル番号について、ＩＱ平面上において受信信号点にユーグリッド距離が２番目に近い基準信号点を第２候補点として特定する。また、候補点特定部３４は、特定した第２候補点に対応するビット値（第２候補ビット値）とを取得する。
【００３９】
第２候補ＤＢ３５は、候補点特定部３４によって取得される第２候補ビット値と、その第２候補ビット値のシンボル番号とを少なくとも含む第２候補情報を記憶する（図４を参照）。
【００４０】
以下において、本発明の一実施形態に係る第２候補ＤＢ３５に記憶された第２候補情報について、図面を参照しながら説明する。図４は、本発明の一実施形態に係る第２候補ＤＢ３５を示す図である。
【００４１】
図４に示すように、第２候補ＤＢ３５は、優先順位と、シンボル番号と、第２候補ビット値と、境界線距離とを対応付けて、第２候補情報として記憶する。
【００４２】
優先順位は、後述するビット値変更部３８によって第１候補ビット値を第２候補ビット値に変更する優先度である。なお、優先順位は、境界線と受信信号点との距離が短ければ短いほど高く設定される。
【００４３】
シンボル番号は、受信誤り推定部３３によって第１候補点が誤っている可能性があると推定されたシンボルのシンボル番号である。
【００４４】
第２候補ビット値は、上述したように、候補点特定部３４によって取得される第２候補点に対応するビット値である。
【００４５】
境界線距離は、ＩＱ平面上における境界線と受信信号との距離である。
【００４６】
復調処理部３６は、端末１０から受信する受信信号を復調することによって、データビットと誤り検出ビットとを含む復調ビットを取得する。具体的には、復調処理部３６は、候補点特定部３４によって取得される第１候補ビット値をスロット（０．６２５ｍｓｅｃ）やフレーム（例えば、５ｍｓｅｃ）単位で時間軸上に並べることによって復調ビットを取得する。
【００４７】
誤り検出部３７は、復調処理部３６によって取得された復調ビットが誤っているか否かを検出する。具体的には、誤り検出部３７は、復調ビットに含まれる誤り検出ビットを用いて、復調ビットに含まれるデータビットが誤っているか否かを検出する。
【００４８】
ビット値変更部３８は、誤り検出部３７によってデータビットが誤っていることが検出された場合に、第１候補ビット値を第２候補ビットに変更する。具体的には、ビット値変更部３８は、第２候補ＤＢ３５を参照して、優先順位が最も高いシンボル番号について、第１候補ビット値を第２候補ビット値に変更する。また、ビット値変更部３８は、優先順位が最も高いシンボル番号に対応する各値（第２候補ビット値、境界線距離）を第２候補ＤＢ３５から削除する。
【００４９】
なお、復調処理部３６は、ビット値変更部３８によって第１候補ビット値から変更された第２候補ビット値を用いて復調ビットを再び取得し、誤り検出部３７は、復調処理部３６によって取得された復調ビットが誤っているか否かを再び検出する。
【００５０】
送信処理部２６は、端末１０に送信するデータビットを取得するとともに、取得したデータビットに誤り検出ビットを付加することによって送信信号を生成する。
【００５１】
（本発明の一実施形態に係る基地局の動作）
以下において、本発明の一実施形態に係る基地局２０の動作について、図面を参照しながら説明する。図５は、本発明の一実施形態に係る基地局２０の動作を示すフロー図である。
【００５２】
図５に示すように、ステップ１００において、基地局２０は、端末１０から受信する受信信号に含まれる既知のシンボルを用いて、マルチパスを経由する各受信信号の同期をとる。
【００５３】
ステップ１１０において、基地局２０は、ステップ１００で同期が取られた受信信号のＩＱ平面上における位置（受信信号点）をシンボル毎に特定する。また、基地局２０は、特定した受信信号点に最もユーグリッド距離が近い基準信号点を第１候補点として特定するとともに、特定した第１候補点に対応するビット値（第１候補ビット値）を取得する。
【００５４】
ステップ１２０において、基地局２０は、受信信号が受信誤りである可能性があるか否かを推定する。なお、誤り推定処理の詳細については後述する（図６を参照）。
【００５５】
ステップ１３０において、基地局２０は、受信信号の復調処理に許容される時間である（遅延許容時間）を監視タイマにセットする。
【００５６】
ステップ１４０において、基地局２０は、端末１０から受信する受信信号を復調することによって、データビットと誤り検出ビットとを含む復調ビットを取得する。具体的には、復調処理部３６は、候補点特定部３４によって取得される第１候補ビット値をスロット（０．６２５ｍｓｅｃ）やフレーム（例えば、５ｍｓｅｃ）単位で時間軸上に並べることによって復調ビットを取得する。
【００５７】
ステップ１５０において、基地局２０は、ステップ１４０で取得された復調ビットが誤っているか否かを検出する。具体的には、基地局２０は、復調ビットに含まれる誤り検出ビットを用いて、復調ビットに含まれるデータビットが誤っているか否かを検出する。
【００５８】
ステップ１６０において、基地局２０は、復調ビットが誤っているか否かを判定する。また、基地局２０は、復調ビットが誤っていない場合には、受信処理を終了し、復調ビットが誤っている場合には、ステップ１７０の処理に移る。
【００５９】
ステップ１７０において、基地局２０は、監視タイマの値が「０」であるか否かを判定する。また、基地局２０は、監視タイマの値が「０」である場合には、受信処理を終了し、監視タイマの値が「０」でない場合には、ステップ１８０の処理に移る。
【００６０】
ステップ１８０において、基地局２０は、第１候補ビット値を第２候補ビットに変更する。なお、ビット値変更処理の詳細については後述する（図７を参照）。
【００６１】
このように、基地局２０は、監視タイマにセットされた遅延許容時間が「０」となるまで、又は、復調ビットが誤っていないことが検出されるまで、優先順位が高い順に第１候補ビット値を第２候補ビット値に置き換える処理を繰り返す。
【００６２】
以下において、上述した誤り推定処理について、図面を参照しながら説明する。図６は、本発明の一実施形態に係る誤り推定処理を示すフロー図である。
【００６３】
図６に示すように、ステップ１２１において、基地局２０は、シンボル番号が偶数であるか否かを判定する。また、基地局２０は、シンボル番号が偶数である場合には、ステップ１２２の処理に移り、シンボル番号が奇数である場合には、ステップ１２３の処理に移る。
【００６４】
ステップ１２２において、基地局２０は、受信信号点のＩＱ値が｜Ｉ｜−｜Ｑ｜＜ａの式を満たすか否か判定する（図３（１）を参照）。また、基地局２０は、受信信号点のＩＱ値がこの式を満たす場合には、ステップ１２４の処理に移り、受信信号点のＩＱ値がこの式を満たさない場合には、ステップ１２６の処理に移る。
【００６５】
ステップ１２３において、基地局２０は、受信信号点のＩＱ値が｜Ｉ｜＜ａ又は｜Ｑ｜＜ａの式を満たすか否か判定する（図３（２）を参照）。また、基地局２０は、受信信号点のＩＱ値がこの式を満たす場合には、ステップ１２４の処理に移り、受信信号点のＩＱ値がこの式を満たさない場合には、ステップ１２６の処理に移る。
【００６６】
ステップ１２４において、基地局２０は、受信信号点にユーグリッド距離が２番目に近い基準信号点を第２候補点として特定するとともに、特定した第２候補点に対応する第２候補ビット値を特定する。また、基地局２０は、シンボル番号と第２候補ビット値と境界線距離とを対応付けて、第２候補情報として第２候補ＤＢ３５に記憶する。
【００６７】
ステップ１２５において、基地局２０は、境界線距離が短い順に第２候補情報をソートする。すなわち、基地局２０は、境界線距離が短ければ短いほど高い優先順位を設定する。
【００６８】
ステップ１２６において、基地局２０は、１スロット又は１フレームに含まれる全てのシンボルについて誤り推定処理が完了したか否かを判定する。また、基地局２０は、全てのシンボルについて誤り推定処理が完了していない場合には、シンボル番号を１つインクリメントするとともに、ステップ１２１の処理に移る。
【００６９】
以下において、上述した誤り訂正処理について、図面を参照しながら説明する。図７は、本発明の一実施形態に係る誤り訂正処理を示すフロー図である。
【００７０】
図７に示すように、ステップ１８１において、基地局２０は、第２候補ＤＢ３５を参照して、最も優先順位が高いシンボル番号について、第１候補ビット値を第２候補ビット値に変更する。
【００７１】
ステップ１８２において、基地局２０は、優先順位が最も高いシンボル番号に対応する第２候補情報（第２候補ビット値、境界線距離）を第２候補ＤＢ３５から削除する。
【００７２】
（本発明の一実施形態に係る基地局の作用及び効果）
本発明の一実施形態に係る基地局２０によれば、ビット値変更部３８が、誤り検出部３７によって復調ビットが誤っていることが検出された場合に、第２候補ＤＢ３５を参照して、優先順位が最も高いシンボル番号について、第１候補ビット値を第２候補ビット値に変更する。従って、基地局２０は、送信電力を上げることに起因する干渉の増加、誤り訂正ビットを付加することに起因するデータビットの減少を抑制しながら、受信誤りを削減することができる。
【００７３】
（変更例１）
以下において、上述した実施形態の変更例１について、図面を参照しながら説明する。なお、以下においては、上述した実施形態と変更例１との相違点を主として説明する。
【００７４】
具体的には、上述した実施形態では、基地局２０は、一本のアンテナで端末１０から変調信号を受信するが、変更例１では、複数のアンテナで端末１０から変調信号を受信する（アダプティブアレイ受信）。
【００７５】
（本発明の一変更例に係る基地局の構成）
以下において、本発明の変更例１に係る基地局２０の構成について、図面を参照しながら説明する。図８は、本発明の変更例１に係る基地局２０の構成を示すブロック図である。
【００７６】
図８に示すように、基地局２０は、複数のアンテナ２１（アンテナ２１ａ〜アンテナ２１ｄ）と、複数のＲＦ回路２２（ＲＦ回路２２ａ〜ＲＦ回路２２ｄ）と、複数のＡ／Ｄ変換部２３（Ａ／Ｄ変換部２３ａ〜Ａ／Ｄ変換部２３ｄ）とを有する。また、基地局２０は、上述した検波処理部３２に代えて、アダプティブアレイ処理を行うアダプティブアレイ処理部３２ａを有する。
【００７７】
アダプティブアレイ処理部３２ａは、複数のアンテナ２１によって受信される各受信信号に重付値を乗算するとともに、重付値が乗算された各受信信号を合成する（合成信号）。また、アダプティブアレイ処理部３２ａは、複数のアンテナ２１によって受信される各受信信号に基づいて重付値を更新する。
【００７８】
さらに、アダプティブアレイ処理部３２ａは、ＩＱ平面上における合成信号の位置（受信信号点）を特定する。また、アダプティブアレイ処理部３２ａは、特定した受信信号点にユーグリッド距離が最も近い基準信号点を第１候補点として特定するとともに、特定した第１候補点に対応するビット値（第１候補ビット値）を取得する。
【００７９】
なお、アダプティブアレイ処理部３２ａは、上述した受信誤り推定部３３によって受信信号が受信誤りとなる可能性があると推定された場合には、重付値を更新しない。すなわち、アダプティブアレイ処理部３２ａは、上述した受信誤り推定部３３によって受信信号が受信誤りとなる可能性がないと推定された場合にのみ、重付値を更新する。
【００８０】
また、変更例１では、受信誤り推定部３３は、境界線と受信信号点との距離に代えて、アダプティブアレイ受信の誤差（Error  Vector  magnitude；ＥＶＭ）によって、受信信号が受信誤りとなる可能性があるか否かを推定する。
【００８１】
（本発明の一変更例に係る基地局の動作）
以下において、本発明の変更例１に係る基地局２０の動作について、図面を参照しながら説明する。図９は、本発明の変更例１に係る基地局２０の動作を示すフロー図である。なお、ステップ１００、ステップ１２０〜ステップ１８０の処理については、上述した実施形態と同様であるため、これらの処理の説明を省略する。
【００８２】
図９に示すように、ステップ１１０ａにおいて、基地局２０は、複数のアンテナ２１によって受信される各受信信号に重付値を乗算するとともに、重付値が乗算された各受信信号を合成する。また、基地局２０は、ＩＱ平面上における合成信号の位置（受信信号点）を特定する。さらに、基地局２０は、特定した受信信号点にユーグリッド距離が最も近い基準信号点を第１候補点として特定するとともに、特定した第１候補点に対応するビット値（第１候補ビット値）を取得する。
【００８３】
（その他の変更例）
上述した実施形態では、基地局２０（受信誤り推定部３３）は、受信信号点と境界線との距離が小さい場合には必ず第２候補ＤＢ３５に第２候補ビット値を記憶するが、これに限定されるものではない。具体的には、基地局２０（受信誤り推定部３３）は、受信信号点のＩＱ振幅値が小さい場合には、アンテナ２１によって受信される信号の受信精度が悪いため、第２候補ＤＢ３５に第２候補ビット値を記憶しなくてもよい。
【００８４】
例えば、基地局２０（受信誤り推定部３３）は、受信信号点のＩＱ値が、ｓｑｒｔ（Ｉ２＋Ｑ２）＜ｂ（例えば、０．１）の式を満たす場合には、第２候補ＤＢ３５に第２候補ビット値を記憶しない。
【００８５】
また、上述した実施形態では、基地局２０（ビット値変更部３８）は、復調ビットが誤っていないことが検出されるまで、優先順位が高い順に第１候補ビット値を第２候補ビット値に変更することを繰り返すが、これに限定されるものではない。
【００８６】
例えば、基地局２０（ビット値変更部３８）は、優先順位が最も高いシンボル番号について第１候補ビット値を第２候補ビット値に変更しても、復調ビットが誤っていることが検出される場合には、優先順位が最も高いシンボル番号について第２候補ビット値を第１候補ビット値に戻した後に、優先順位が２番目に高いシンボル番号について第１候補ビット値を第２候補ビット値に変更してもよい。
【図面の簡単な説明】
【００８７】
【図１】本発明の一実施形態に係る無線通信システムの構成を示す図である。
【図２】本発明の一実施形態に係る基地局２０の構成を示す図である。
【図３】本発明の一実施形態に係るＩＱ平面を示す図である。
【図４】本発明の一実施形態に係る第２候補ＤＢ３５に記憶された情報を示す図である。
【図５】本発明の一実施形態に係る基地局２０の動作を示すフロー図である。
【図６】本発明の一実施形態に係る誤り推定処理を示すフロー図である。
【図７】本発明の一実施形態に係る誤り訂正処理を示すフロー図である。
【図８】本発明の一変更例に係る基地局２０の構成を示す図である。
【図９】本発明の一変更例に係る基地局２０の動作を示すフロー図である。
【符号の説明】
【００８８】
１０・・・端末、２０・・・基地局、２１・・・アンテナ、２２・・・ＲＦ回路、２３・・・Ａ／Ｄ変換部、２４・・・サーキュレータ、２５・・・受信処理部、２６・・・送信処理部、３１・・・同期処理部、３２・・・検波処理部、３２ａ・・・アダプティブアレイ処理部、３３・・・受信誤り推定部、３４・・・候補点特定部、３５・・・第２候補ＤＢ、３６・・・復調処理部、３７・・・誤り検出部、３８・・・ビット値変更部
【図１】
2006262284.tif 000003
【図２】
2006262284.tif 000004
【図３】
2006262284.tif 000005
【図４】
2006262284.tif 000006
【図５】
2006262284.tif 000007
【図６】
2006262284.tif 000008
【図７】
2006262284.tif 000009
【図８】
2006262284.tif 000010
【図９】
2006262284.tif 000011